(57)【特許請求の範囲】
【請求項１】
枠体と、この枠体に開閉自在に支持される面材と、前記面材を引き寄せる引寄部材とを備えた建具であって、
前記引寄部材は、前記枠体を構成する少なくとも１つの枠材に設けられる第１部材と、閉鎖した際に前記枠材と接近する前記面材の端縁に設けられる第２部材とを有して構成され、
前記第１および第２の部材は、それぞれ前記枠材または前記面材の端縁に固定されるベース部と、各々のベース部から突出して設けられて互いに摺接可能な摺接面部とを有し、前記面材の閉鎖に伴って当該第１および第２の部材の摺接面部同士が互いに摺接することで当該面材を見込み方向一方側に引き寄せ可能に構成され、
前記第１および第２の部材のうちの一方には、前記摺接面部よりも突出しかつ見込み方向に交差して設けられる突出面部が形成され、前記第１および第２の部材のうちの他方には、前記摺接面部よりも没入しかつ見込み方向に交差して設けられる没入面部が形成され、前記閉鎖した面材に他方側への力が作用して前記端縁が移動や変形した場合に、前記突出面部と前記没入面部とが互いに当接可能に構成されている建具。
【請求項２】
前記面材は、上下左右いずれかの吊元側が前記枠体に支持されて戸先側が他方側に開放可能に構成され、前記吊元側の枠材である縦枠に前記第１部材が設けられ、当該面材の端縁である吊元側框に前記第２部材が設けられている請求項１に記載の建具。
【請求項３】
前記第１および第２の部材のうちの少なくとも一方の前記摺接面部は、見込み方向に沿って所定の傾斜角度を有した傾斜面部として形成されている請求項１または請求項２に記載の建具。
【請求項４】
前記第１部材は、前記傾斜面部と前記突出面部とを有して形成され、当該突出面部を挟んで当該傾斜面部が一対で設けられ、
前記第２部材は、前記傾斜面部と前記没入面部とを有して形成され、当該没入面部を挟んで当該傾斜面部が一対で設けられている請求項３に記載の建具。
【発明の詳細な説明】
【技術分野】
【０００１】
本発明は、建具に関し、詳しくは、枠体と、この枠体に開閉自在に支持される面材とを備えた建具に関する。
【背景技術】
【０００２】
従来、枠体に障子が開閉自在に支持された窓やドア等の建具において、障子の縦框に開閉用のハンドル、およびハンドルと連動する回転カムを設け、この回転カムと係合する引寄具を縦枠に設けたものが知られている（例えば、特許文献１参照）。この建具では、引寄具の案内部に回転カムを案内する傾斜面が形成されており、障子を閉鎖してハンドルを回転することで回転カムが傾斜面に案内されつつ引寄具に係合され、この係合によって閉鎖した障子を屋内側に引き寄せることにより、縦框と縦枠の気密材とを互いに押圧して気密性が確保できるように構成されている。
【先行技術文献】
【特許文献】
【０００３】
【特許文献１】特開平８−２５４０８２号公報
【発明の概要】
【発明が解決しようとする課題】
【０００４】
しかしながら、前記特許文献１に記載された従来の建具では、ハンドル操作によって回転カムを引寄具に係合させる構成であるため、ハンドルおよびその操作が必須となるとともに、ハンドル操作が不十分で係合不足となった場合には、気密性が損なわれてしまう可能性がある。
また、一般的な建具では、枠と障子とは戸先側の錠装置によって施錠され、障子（框）の移動が拘束されるようになっているものの、蝶番やピボットヒンジ、支持ステーなどで支持される吊り元側には錠装置が設けられず、閉鎖状態における吊り元側框の拘束が不十分になる可能性がある。このため、人がもたれ掛かる力や風圧力などの面外方向の力が障子に作用した場合に、吊り元側框が枠から離れてしまって気密材を離隔し、これによって気密性が損なわれてしまう可能性もある。
【０００５】
本発明の目的は、枠体に対して面材を確実に引き寄せて気密性を確保するとともに、面外方向の力が面材に作用した場合でも面材の変形を抑制することができる建具を提供することにある。
【課題を解決するための手段】
【０００６】
本発明の建具は、枠体と、この枠体に開閉自在に支持される面材と、閉鎖した前記面材を引き寄せる引寄部材とを備えた建具であって、前記引寄部材は、前記枠体を構成する少なくとも１つの枠材に設けられる第１部材と、閉鎖した際に前記枠材と接近する前記面材の端縁に設けられる第２部材とを有して構成され、前記第１および第２の部材は、それぞれ前記枠材または前記面材の端縁に固定されるベース部と、各々のベース部から突出して設けられて互いに摺接可能な摺接面部とを有し、前記面材の閉鎖に伴って当該第１および第２の部材の摺接面部同士が互いに摺接することで当該面材を見込み方向一方側に引き寄せ可能に構成され、前記第１および第２の部材のうちの一方には、前記摺接面部よりも突出しかつ見込み方向に交差して設けられる突出面部が形成され、前記第１および第２の部材のうちの他方には、前記摺接面部よりも没入しかつ見込み方向に交差して設けられる没入面部が形成され、前記閉鎖した面材に他方側への力が作用して前記端縁が移動や変形した場合に、前記突出面部と前記没入面部とが互いに当接可能に構成されていることを特徴とする。
【０００７】
ここで、本発明の建具としては、開き形式のドアや開き窓の他に、突き出し形式や外倒し形式、さらには両開き形式の窓などであってもよいし、さらには引違い形式や片引き形式の戸や窓であってもよいし、その他、上げ下げ窓や縦または横の辷出し窓、縦軸または横軸の回転窓など、各種開閉形式の窓であってもよい。さらに、本発明の建具は、建物の外壁開口部に設けられて屋内外の空間を仕切るものに限らず、屋内空間の隣り合う空間、例えば部屋同士や部屋と廊下、あるいは脱衣室と浴室などを仕切るものであってもよい。
【０００８】
以上の本発明によれば、枠材に設けた第１部材の摺接面部と面材の端縁に設けた第２部材の摺接面部とが互いに摺接し、この摺接により面材を見込み方向一方側に引き寄せることで、面材の閉鎖動作に伴って面材を引き寄せることができ、従来の建具のようなハンドル操作を不要にして、自動的かつ確実に面材を引き寄せることができ、気密性を確保することができる。また、閉鎖した面材に力が加わって端縁が見込み方向他方側に移動や変形した場合に、第１および第２の部材の突出面部と没入面部とが互いに当接することで、この当接により端縁の移動や変形を規制することができ、面材の過大な変形によって気密材とに隙間が生じることを防止して気密性を確保することができる。すなわち、突出面部や没入面部は、それぞれ見込み方向に所定角度で交差して設けられ、見込み方向と平行ではないことで、これらが互いに当接することによって面材の端縁の見込み方向への移動が規制可能に構成されている。
【０００９】
この際、本発明の建具では、前記面材は、上下左右いずれかの吊元側が前記枠体に支持されて戸先側が他方側に開放可能に構成され、前記吊元側の枠材である縦枠に前記第１部材が設けられ、当該面材の端縁である吊元側框に前記第２部材が設けられていることが好ましい。
このような構成によれば、上下左右の吊り元側が回転自在に支持された開き形式の建具（開き窓やドア、突き出し窓、内倒し窓等）における吊元側の枠体および面材に引寄部材を設けることで、通常は錠装置などが設けられない吊元側框の変形を抑制することができ、吊元側框を確実に引き寄せて気密性を確保することができる。
【００１０】
また、本発明の建具では、前記第１および第２の部材のうちの少なくとも一方の前記摺接面部は、見込み方向に沿って所定の傾斜角度を有した傾斜面部として形成されていることが好ましい。
このような構成によれば、摺接面部を傾斜面部として形成し、この傾斜面部に沿って第１および第２の部材を互いに摺接させることで、面材を見込み方向一方側に確実に引き寄せることができる。さらに、力が加わって面材の端縁が見込み方向他方側に移動したり変形したりした場合にも、第１および第２の部材が傾斜面部に沿って摺接することで、摩擦抵抗を発揮して過大な変形を抑制することができる。
【００１１】
さらに、本発明の建具では、前記第１部材は、前記傾斜面部と前記突出面部とを有して形成され、当該突出面部を挟んで当該傾斜面部が一対で設けられ、前記第２部材は、前記傾斜面部と前記没入面部とを有して形成され、当該没入面部を挟んで当該傾斜面部が一対で設けられていることが好ましい。
このような構成によれば、一対の傾斜面部の間に突出面部を設けて第１部材を形成し、一対の傾斜面部の間に没入面部を設けて第２部材を形成することで、見込み方向他方側への面材の端縁の移動や変形を規制する際に、第１および第２の部材における作用力の偏心をなくして付加モーメントの発生を抑制することができる。すなわち、他方側への面材のの端縁の移動や変形時に、先ずは第１および第２の部材が傾斜面部同士が摺接し、その後さらに突出面部と没入面部とが当接することとなるが、互いに摺接する一対の傾斜面部同士の摩擦力の重心位置と、互いに当接する突出面部と没入面部との当接力の作用位置とが大きくずれることがないので、付加モーメントの発生を抑えることができ、面材の変形をより確実に抑制することができる。
【図面の簡単な説明】
【００１２】
【図１】本発明の実施形態に係る建具を示す横断面図である。
【図２】前記建具の一部を拡大して示す横断面図である。
【図３】前記建具における引寄部材の第１部材を示す斜視図である。
【図４】前記建具における引寄部材の第２部材を示す斜視図である。
【図５】前記引寄部材の動作を示す横断面図である。
【図６】前記引寄部材の他の動作を示す横断面図である。
【発明を実施するための形態】
【００１３】
以下、本発明の一実施形態に係る建具としての開き窓１を図面に基づいて説明する。
図１において、開き窓１は、建物の外壁開口部に設けられて一方側である屋内空間と他方側である屋外空間とを仕切る外開き形式の窓であって、建物躯体に固定される枠体としての窓枠２と、この窓枠２に開閉自在に支持される面材としての障子３とを備えて構成されている。窓枠２は、それぞれアルミ形材製の上枠（不図示）、下枠５、および左右の縦枠６，７を四周枠組みして形成され、障子３は、図中左側に位置する吊元側の縦枠６に図示しない蝶番を介して開閉可能に支持され、図中右側に位置する戸先側の縦枠７に施錠装置８で施錠可能に構成されている。
【００１４】
障子３は、上框（不図示）、下框１２および左右の縦框１３，１４を四周框組みした内部にガラスパネル１５を嵌め込んで構成され、面材の端縁としての吊元側の縦框（吊元側框）１３が縦枠６に支持され、戸先側の縦框１４に設けたハンドル１６によって開閉操作されるようになっている。また、障子３の吊り元側の縦框１３と縦枠６とには、閉鎖した障子３を屋内側（見込み方向一方側）に引き寄せる引寄部材２０が設けられている。
【００１５】
縦枠６，７は、見込み方向（屋内外方向）に延びる縦枠見込み面部６１，７１と、この縦枠見込み面部６１，７１の屋内側端部から見付け方向外側（建物躯体側）に延びる屋内側見付け面部６２，７２と、縦枠見込み面部６１，７１の屋外側端部から見付け方向外側に延びる屋外側見付け面部６３，７３と、縦枠見込み面部６１，７１の屋内寄りの中間位置から見付け方向内側（開口部中央側）に延びる気密材保持部６４，７４とを有して形成されている。気密材保持部６４，７４の先端屋外側には、閉鎖した障子３の縦框１３，１４の縦框屋内面１３２，１４２に当接可能な気密材６５，７５が保持されている。
【００１６】
障子３の縦框１３，１４は、アルミ形材製の中空部材で構成され、縦枠見込み面部６１，７１に対向する縦框見込み面部１３１，１４１と、屋内空間に面する縦框屋内面１３２，１４２と、屋外空間に面する縦框屋外面１３３，１４３とを有して形成されている。さらに、縦框見込み面部１３１，１４１には、屋内側および屋外側に対向して折れ曲がった一対の係止片部１３４，１４４が形成されている。また、縦框屋外面１３３，１４３の見付け方向外側端部には、止水材１３５，１４５が取り付けられ、これらの止水材１３５，１４５が縦枠見込み面部６１，７１に当接可能になっている。
【００１７】
施錠装置８は、縦框１４の中空内部に設けられてハンドル１６に連結された図示しない錠本体と、縦框１４に沿って設けられ一対の係止片部１４４間に案内されるリンケージバー８１と、このリンケージバー８１の長手方向の所定位置（１箇所や複数箇所）に固定される係合ピン８２と、縦枠７の縦枠見込み面部７１に固定されて係合ピン８２と係合可能な錠受け８３とを備えて構成されている。そして、施錠装置８は、ハンドル１６の回転操作によってリンケージバー８１および係合ピン８２が上下移動可能とされ、この上下移動に伴って係合ピン８２が錠受け８３に係合する施錠位置と、錠受け８３との係合が外れる解錠位置とに切り替え可能に構成されている。また、錠受け８３には、適宜な傾斜が形成されており、係合ピン８２が係合する際に屋内側に引き寄せるように構成され、これにより縦框屋内面１４２を気密材７５に押圧できるようになっている。
【００１８】
引寄部材２０は、図２にも示すように、縦枠６の縦枠見込み面部６１に固定される第１部材２０Ａと、縦框１３の縦框見込み面部１３１に固定される第２部材２０Ｂとを備えて構成されている。
第１部材２０Ａは、図３にも示すように、縦枠見込み面部６１にビス止め固定されるベース部２１と、このベース部２１から見付け方向内側に突出する断面略三角形状の引寄部２２と、引寄部２２の略中央に突出して設けられる凸部２３とを有して形成されている。引寄部２２は、凸部２３を挟んで一対で設けられる摺接面部である傾斜面部２４を有し、凸部２３は、傾斜面部２４よりも突出しかつ見込み方向に略直交して設けられる突出面部２５を有して形成されている。ベース部２１には、ビス止め用のビス挿通孔２１１が２箇所に形成されており、これらのビス挿通孔２１１は、それぞれ見込み方向に対して所定角度だけ傾斜した長孔で形成されている。従って、第１部材２０Ａは、縦枠６に対して見込み方向および上下方向の二方向に位置調節可能に構成されている。なお、ビス挿通孔２１１は、見込み方向に平行な長孔とされてもよいし、２箇所のビス挿通孔２１１が互いに反対向きの傾斜を有して形成されてもよい。
【００１９】
一方、第２部材２０Ｂは、図４にも示すように、一対の係止片部１３４間にビス止め固定されるベース部２６と、このベース部２６から見付け方向外側に突出する断面略三角形状の引寄部２７と、引寄部２７の略中央に凹んで設けられる凹部２８とを有して形成されている。引寄部２７は、凹部２８を挟んで一対で設けられる摺接面部である傾斜面部２９を有し、凹部２８は、傾斜面部２９よりも没入しかつ見込み方向に略直交して設けられる没入面部３０を有して形成されている。なお、第２部材２０Ｂにおいても、第１部材２０Ａのビス挿通孔２１１と同様の長孔によってベース部２６のビス挿通孔が形成され、縦框１３に対して見込み方向および上下方向に位置調節可能に構成されていてもよい。
【００２０】
以上の引寄部材２０は、図５に示すように、開放した障子３を閉じる際に、第１部材２０Ａの傾斜面部２４と第２部材２０Ｂの傾斜面部２９とが互いに摺接し、障子３を閉鎖した状態で傾斜面部２４，２９同士が互いに密接するようになっており、これによって縦框１３および障子３を屋内側に引き寄せることで、縦框屋内面１３２を気密材６５に押圧できるようになっている。また、傾斜面部２４，２９同士が摺接する際には、第１部材２０Ａの凸部２３が第２部材２０Ｂの凹部２８に所定間隔を介して遊挿され、凸部２３が第２部材２０Ｂに接触しないようになっている。
一方、図６に示すように、閉鎖した障子３に風圧力などが作用して縦框１３が屋外側（見込み方向他方側）に撓んだ場合に、先ずは傾斜面部２４，２９同士が摺接して摩擦力を生じることで撓みを抑制する。それ以上の力が作用した場合には、さらに相対移動した第１部材２０Ａおよび第２部材２０Ｂの突出面部２５と没入面部３０とが当接することで、それ以上の相対移動を規制し、縦框１３の撓みを抑制することができ、障子３の過大な変形によって気密材６５とに大きな隙間が生じることが防止できるようになっている。
【００２１】
以上のような本実施形態によれば、障子３の閉鎖動作に伴って第１部材２０Ａの傾斜面部２４と第２部材２０Ｂの傾斜面部２９とが互いに摺接し、この摺接により障子３の縦框１３を屋内側に引き寄せることができ、従来のように手動のハンドル操作を不要にして、自動的かつ確実に障子３を引き寄せて気密性を確保することができる。また、閉鎖した障子３に力が加わって縦框１３が屋外側に撓んだ場合に、第１部材２０Ａの突出面部２５と第２部材２０Ｂの没入面部３０とが互いに当接し、この当接により縦框１３の撓みが規制されるので、障子３の過大な変形を抑制して気密性を確保することができる。一方、障子３の戸先側では、施錠装置８の係合ピン８２と錠受けとの係合によって縦框１４が屋内側に引き寄せられ、縦框１４の撓みが防止されているので気密性が確保されている。また、引寄部材２０の第１部材２０Ａおよび第２部材２０Ｂがそれぞれ上下対称形状に形成され、各々の高さ方向略中央に設けられた突出面部２５と没入面部３０とが当接することで、引寄部材２０に生じる付加モーメントを抑えることができ、障子３の変形をより確実に抑制することができる。
【００２２】
なお、本発明は、前記実施形態に限定されるものではなく、本発明の目的を達成できる他の構成等を含み、以下に示すような変形等も本発明に含まれる。
例えば、前記実施形態において、建具の一例として開き窓１を例示したが、本発明の建具は、ドアであってもよいし、突き出し形式や外倒し形式、さらには両開き形式の窓等であってもよいし、さらには引違い形式や片引き形式の戸や窓でもよく、さらに上げ下げ窓や、縦または横の辷出し窓、縦軸または横軸の回転窓などの各種開閉形式を有する窓であってもよい。
また、前記実施形態において、開き窓１は、一方側である屋内空間と他方側である屋外空間とを仕切るものを例示したが、本発明の建具は屋内外を仕切るものに限らず、例えば、隣り合う部屋同士を仕切る出入り口であってもよいし、脱衣室（見込み方向一方側の空間）と浴室（見込み方向他方側の空間）とを仕切る浴室出入り口などであってもよい。
【００２３】
また、前記実施形態において、引寄部材２０は吊元側の縦枠６および縦框１３に設けられていたが、戸先側の縦枠７および縦框１４に設けてもよく、吊元側と戸先側の両方の縦枠６、７および縦框１３，１４に設けてもよい。さらに、上枠および上框に引寄部材２０を設けてもよいし、下枠５および下框１２に引寄部材２０を設けてもよい。
また、前記実施形態では、引寄部材２０の第１部材２０Ａに凸部２３および突出面部２５を形成し、第２部材２０Ｂに凹部２８および没入面部３０を形成したが、これに限らず、第１部材２０Ａに凹部２８および没入面部３０を形成して第２部材２０Ｂに凸部２３および突出面部２５を形成してもよい。さらに、第１部材２０Ａおよび第２部材２０Ｂの両方に傾斜面部２４，２９が形成されるものに限らず、第１部材２０Ａおよび第２部材２０Ｂのいずれか一方のみに傾斜面部が形成されていてもよく、その場合、他方には、傾斜面部に摺接する平面や曲面、摩擦軽減面などが形成されていてもよいし、あるいは他方に傾斜面部を転動するローラーなどが設けられていてもよい。
【００２４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２５】
１…開き窓（建具）、２…窓枠（枠体）、３…障子（面材）、６…縦枠（枠材）、１３…縦框（端縁）、２０…引寄部材、２０Ａ…第１部材、２０Ｂ…第２部材、２１，２６…ベース部、２４，２９…傾斜面部（摺接面部）、２５…突出面部、３０…没入面部。
【図１】
0005391108.tif 000002
【図２】
0005391108.tif 000003
【図３】
0005391108.tif 000004
【図４】
0005391108.tif 000005
【図５】
0005391108.tif 000006
【図６】
0005391108.tif 000007